(57)【要約】【課題】下位の操作項目を選び易くするとともに、下位の操作項目の操作を省略可能な情報処理装置を提供する。【解決手段】メニュー画面ＧＭとして、表示させたい機能を選択するための第１層操作項目（上位操作項目）２１０Ａと、第１層操作項目２１０Ａよりも下位階層の第２層操作項目（下位操作項目）２１０Ｂを同時に表示させる。そして、第２層操作項目２１０Ｂが選択された場合、選択された第２層操作項目２１０Ｂに応じた画面を表示させ、第１層操作項目２１０Ａが選択された場合、選択された第１層操作項目２１０Ａに対応する機能の所定画面を表示させる。【選択図】図５
2015014860.tif 000002
【特許請求の範囲】
【請求項１】
表示画面と、
階層構造の操作項目を記憶する記憶部と、
前記表示画面に、前記操作項目を選択するためのメニュー画面を表示し、前記操作項目の選択に応じた画面を表示させる表示制御部とを備える情報処理装置において、
前記表示制御部は、
前記メニュー画面の表示が指示された場合に、前記表示画面に、表示させたい機能を選択するための前記操作項目である上位操作項目と、前記上位操作項目よりも下位階層の前記操作項目である複数の下位操作項目とを同時に表示させ、各々の操作項目を選択可能にするメニュー画面表示部と、
前記下位操作項目が選択された場合、選択された下位操作項目に応じた画面を表示させ、前記上位操作項目が選択された場合、選択された前記上位操作項目に対応する機能の所定画面を表示させる画面表示部と、を備えることを特徴とする情報処理装置。
【請求項２】
前記画面表示部は、前記上位操作項目が選択された場合に、選択された上位操作項目に対応する機能のときに最後に表示された画面を表示させることを特徴とする請求項１に記載の情報処理装置。
【請求項３】
前記画面表示部は、前記上位操作項目が選択された場合に、選択された上位操作項目に対応する機能のときの予め定めた画面を表示させることを特徴とする請求項１に記載の情報処理装置。
【請求項４】
前記画面表示部は、前記上位操作項目が選択された場合に、選択された上位操作項目に応じて、選択された上位操作項目に対応する機能のときに最後に表示された画面、又は、選択された上位操作項目に対応する機能のときの予め定めた画面のいずれかを表示させることを特徴とする請求項２又は３に記載の情報処理装置。
【請求項５】
前記記憶部は、前記複数の上位操作項目に対応する機能毎に、最後に表示された画面を特定する情報を記憶し、
前記画面表示部は、前記記憶部に記憶された前記情報に基づいて前記最後に表示された画面を表示させることを特徴とする請求項２又は４に記載の情報処理装置。
【請求項６】
前記機能として、少なくとも現在地表示画面を含む複数種類のナビ画面を表示するナビゲーションと、ナビゲーション以外の各種画面を表示する非ナビゲーションとを有し、
前記画面表示部は、前記ナビゲーションを選択する前記上位操作項目が選択された場合、前記現在地表示画面を表示させ、前記非ナビゲーションを選択する前記上位操作項目が選択された場合、前記非ナビゲーションのときに最後に表示された画面を表示させることを特徴とする請求項４又は５に記載の情報処理装置。
【請求項７】
前記メニュー画面表示部は、前記メニュー画面の前記上位操作項目が選択された場合、前記メニュー画面に表示されていた前記複数の下位操作項目を一時的に選択可能に表示させることを特徴とする請求項１乃至６のいずれか一項に記載の情報処理装置。
【発明の詳細な説明】
【技術分野】
【０００１】
本発明は、階層構造の操作項目を有する情報処理装置に関する。
【背景技術】
【０００２】
ナビゲーション装置等の各種機能を具備する情報処理装置には、階層構造のメニュー画面を表示するものがある。階層構造のメニュー画面を用いる場合、階層順に項目を選択するため、操作回数が多くなってしまう。また、所望の項目にたどり着けなかったり、意図した結果が得られない場合に、間違った箇所を見つけるまで画面を見ながら、「戻る」ボタンを連打するか、トップメニューを表示させ、最初から階層をたどることになり、時間も手間もかかってしまう。
この手間を削減するために、特開２００７−２３７８１２号公報（特許文献１）には、「所定の操作に関する項目を所定の階層の１画面に恒常的に表示させながら、その画面より上位にある画面にも同じ項目を一時的に表示させた後、当該所定の操作が一時的に操作できない状態になった場合、より上位にある画面に一時的に表示させた項目のみを消去する。」ことが記載されている。
【先行技術文献】
【特許文献】
【０００３】
【特許文献１】特開２００７−２３７８１２号公報
【発明の概要】
【発明が解決しようとする課題】
【０００４】
しかし、特許文献１の構成は、前回操作からの経過時間や遠隔操作する対象物との距離に基づいて上位の画面に一時的に操作項目を表示するため、処理が複雑化してしまう。また、上位の画面に表示される操作項目は限定されるため、他の操作項目に関しては、他の操作項目を表示させる操作が必ず必要である。また、下位の操作項目を操作しなければ、その操作項目に対応する画面を表示することができず、下位の操作項目の操作を省略することはできない。
【０００５】
本発明は、上述した事情に鑑みてなされたものであり、下位の操作項目を選び易くするとともに、下位の操作項目の操作を省略可能な情報処理装置を提供することを目的とする。
【課題を解決するための手段】
【０００６】
上記目的を達成するために、本発明は、表示画面と、階層構造の操作項目を記憶する記憶部と、前記表示画面に、前記操作項目を選択するためのメニュー画面を表示し、前記操作項目の選択に応じた画面を表示させる表示制御部とを備える情報処理装置において、前記表示制御部は、前記メニュー画面の表示が指示された場合に、前記表示画面に、表示させたい機能を選択するための前記操作項目である上位操作項目と、前記上位操作項目よりも下位階層の前記操作項目である複数の下位操作項目とを同時に表示させ、各々の操作項目を選択可能にするメニュー画面表示部と、前記下位操作項目が選択された場合、選択された下位操作項目に応じた画面を表示させ、前記上位操作項目が選択された場合、選択された前記上位操作項目に対応する機能の所定画面を表示させる画面表示部と、を備えることを特徴とする。
【０００７】
上記構成において、前記画面表示部は、前記上位操作項目が選択された場合に、選択された上位操作項目に対応する機能のときに最後に表示された画面を表示させるようにしても良い。
上記構成において、前記画面表示部は、前記上位操作項目が選択された場合に、選択された上位操作項目に対応する機能のときの予め定めた画面を表示させるようにしても良い。
【０００８】
上記構成において、前記画面表示部は、前記上位操作項目が選択された場合に、選択された上位操作項目に応じて、選択された上位操作項目に対応する機能のときに最後に表示された画面、又は、選択された上位操作項目に対応する機能のときの予め定めた画面のいずれかを表示させるようにしても良い。
上記構成において、前記記憶部は、前記複数の上位操作項目に対応する機能毎に、最後に表示された画面を特定する情報を記憶し、前記画面表示部は、前記記憶部に記憶された前記情報に基づいて前記最後に表示された画面を表示させるようにしても良い。
【０００９】
上記構成において、前記機能として、少なくとも現在地表示画面を含む複数種類のナビ画面を表示するナビゲーションと、ナビゲーション以外の各種画面を表示する非ナビゲーションとを有し、前記画面表示部は、前記ナビゲーションを選択する前記上位操作項目が選択された場合、前記現在地表示画面を表示させ、前記非ナビゲーションを選択する前記上位操作項目が選択された場合、前記非ナビゲーションのときに最後に表示された画面を表示させるようにしても良い。
【００１０】
上記構成において、前記メニュー画面表示部は、前記メニュー画面の前記上位操作項目が選択された場合、前記メニュー画面に表示されていた前記複数の下位操作項目を一時的に選択可能に表示させるようにしても良い。
【発明の効果】
【００１１】
本発明によれば、下位の操作項目を選び易くするとともに、下位の操作項目の操作を省略可能になる。
【図面の簡単な説明】
【００１２】
【図１】本発明の第１実施形態に係るナビゲーション装置のハードウェア構成を示したブロック図である。
【図２】ナビゲーション装置に記憶される階層構造の操作項目を示した図である。
【図３】ナビゲーション装置の機能構成を示したブロック図である。
【図４】ナビゲーション画面の一例を示した図である。
【図５】メニュー画面示した図である。
【図６】第１サークルプレートがフリック操作された場合を説明する図である。
【図７】第１サークルプレートの「通信」が操作された場合を説明する図である。
【図８】第１サークルプレートの「ナビゲーション」が操作された場合を説明する図である。
【図９】第３サークルプレートが操作された場合を説明する図である。
【発明を実施するための形態】
【００１３】
以下、図面を参照して本発明の実施の形態について説明する。
＜第１実施形態＞
図１は、本発明の第１実施形態に係るナビゲーション装置のハードウェア構成を示すブロック図である。また、図２は、ナビゲーション装置に記憶される階層構造の操作項目を示した図である。
ナビゲーション装置１は、移動体の一種である車両に搭載され、地図情報や目的地までの経路情報などを表示して、ユーザーを目的地へ誘導するナビゲーション処理を行うための車載装置である。このナビゲーション装置１は、車両に備え付けられたものでなくても良く、例えば、持ち運び可能なＰＮＤ（Personal Navigation Device）などであっても良い。
【００１４】
ナビゲーション装置１は、演算処理部１０、表示装置２０、入力装置３０（タッチスクリーン３１、各種ハードスイッチ３２、操作装置３３）、音声装置４０（スピーカ４１）、記憶装置５０、無線通信部６０、通信用Ｉ／Ｆ（インターフェース）６２を備えている。また、ナビゲーション装置１は、車速センサ６４、ジャイロセンサ６６、ＧＰＳ受信装置６８、交通情報受信部７０、ラジオ受信部７２、ドライブ部７４、ＴＶ受信部７６およびカード読取部７８なども備えている。
【００１５】
演算処理部１０は、上記の各部を制御し、様々な処理を行う中心的ユニットである。演算処理部１０は、演算実行部としてのＣＰＵ（Central Processing Unit）１１、実行されるプログラムやデータを格納するＲＡＭ（Random Access Memory）１２やＲＯＭ（Read Only Memory）１３などのメモリを備えている。
また、演算処理部１０は、他の装置を制御するためのＩ／Ｆ（インターフェース）１４を有し、これらは信号線１５で接続されている。
【００１６】
表示装置２０は、演算処理部１０で生成されたグラフィックス情報を表示する画面を有し、例えば、液晶ディスプレイ、有機ＥＬ（Electro-Luminescence）ディスプレイなどで構成されている。
入力装置３０は、ユーザーの操作を受け付ける装置であり、ユーザーが操作する操作部として機能するタッチスクリーン３１およびハードスイッチ３２と、これらと一体化された操作装置３３とを備えている。
【００１７】
タッチスクリーン３１は、表示装置２０の画面に重ねて配置された透過性のタッチパネルを用いてユーザーの接触位置を検出する装置である。これによって、表示装置２０の画面上でユーザーが触れた位置を検出することが可能である。このタッチスクリーン３１には、指を素早く動かす操作（フリック）を検出可能なタッチスクリーンが使用される。
【００１８】
ハードスイッチ３２は、例えば、ボタンキー（ボタンスイッチ）、ダイヤルスイッチ、スクロールホイール、スライドバー（スライドスイッチ）、ジョイスティックなどである。なお、このハードスイッチ３２には公知のスイッチを広く適用可能である。
操作装置３３は、タッチスクリーン３１の操作を検出する検出回路や、ハードスイッチ３２の操作を検出する検出機構などを有し、タッチスクリーン３１の操作位置を示す位置信号や、ハードスイッチ３２毎の操作信号を演算処理部１０に出力する。
【００１９】
音声装置４０は、スピーカ４１を有し、このスピーカ４１により、演算処理部１０で生成された音声信号を出力する。例えば、ユーザーを誘導するための案内音声やＣＤなどのオーディオソースの音声を放音させる。
【００２０】
記憶装置５０には、演算処理部１０が各種処理を実行するために必要な制御プログラムやデータ、ナビゲーション処理に使用される地図情報、ナビゲーション装置１の設定に関する情報、音声認識に使用される音声辞書などが格納される。記憶装置５０は、例えば、ＨＤＤ（Hard Disk Drive）、半導体メモリ、ＣＤ-ＲＯＭ、ＤＶＤ-ＲＯＭなどにより構成される。
【００２１】
車速センサ６４、ジャイロセンサ６６およびＧＰＳ受信装置６８は、車両の現在地などを検出するために使用される。
車速センサ６４は、車速を算出するために用いる車速データを出力するセンサである。ジャイロセンサ６６は、光ファイバジャイロや振動ジャイロなどで構成され、移動体の回転による角速度を検出するものである。ＧＰＳ受信装置６８は、ＧＰＳ衛星からの信号を受信し、車両とＧＰＳ衛星間の距離とその距離の変化率を３個以上の衛星に対して測定することで、車両の現在位置や進行速度を測定する。
【００２２】
上記のようにして検出されたデータは、演算処理部１０に送られて、ナビゲーションの処理に使用される。各種センサは、車内ＬＡＮ（Local Area Network）、ＣＡＮ（Controller Area Network）などの車内通信回線を介してナビゲーション装置１と接続されていても良い。
【００２３】
演算処理部１０は、例えば、車速センサ６４、ジャイロセンサ６６、ＧＰＳ受信装置６８から出力される情報を用いて現在地情報を算出する。また、得られた現在地情報に基づいて、表示に必要な地図情報を記憶装置５０から読み出す。そして、演算処理部１０は、読み出した地図情報をグラフィックス展開し、現在地表示画面（現在地を地図と共に表示した画面）を表示装置２０へ表示させる（図２の「ナビゲーション」機能で実行される現在地表示処理）。
また、地図情報を用いて、ユーザーから指示された出発地と目的地とを結ぶ最適な経路（推奨経路）を算出し、経路画面（推奨経路を地図と共に表示した画面）を表示装置２０へ表示させる（図２の「ナビゲーション」機能で実行される経路画面表示処理）。
【００２４】
また、演算処理部１０は、例えば、スピーカ４１を介してユーザーを誘導するための案内音声や操作音を出力させる。また、入力装置３０を介してユーザーからの様々な指示を受け付け、ユーザー指示に対応する各種処理を実行する。なお、スピーカ４１は、ナビゲーション装置１が内蔵するスピーカ、または、車両が具備するスピーカのどちらでも良い。
また、演算処理部１０は、ＦＭ多重放送受信装置やビーコン受信装置からなる交通情報受信部７０を介して、情報センターからＶＩＣＳ（登録商標）交通情報を受信する。そして、演算処理部１０は、ユーザーからの指示などに応じてＶＩＣＳ交通情報を表示装置２０へ表示する（図２の「ＶＩＣＳ交通情報」機能などで実行される処理）。
ＶＩＣＳ交通情報には、ＦＭ文字情報、ＦＭ図形情報、ＦＭ所要時間、ＦＭ緊急情報などがあり、ユーザーからの指示に応じて各情報を選択的に表示装置２０に表示させる。
【００２５】
また、演算処理部１０は、ナビゲーション装置１にインストールされた各種アプリケーションソフト（以下、ローカルアプリケーションと言う）を実行する。このローカルアプリケーションにより、例えば、無線通信部６０により無線通信網を介してインターネットなどにアクセスし、音声、文字、画像、映像などの各種情報を送受信する。この処理は、図２の「ローカルアプリケーション（ローカルAp一覧）」、「ローカルアプリケーション起動中（ローカルAp起動中）」で実行される処理である。なお、受信した音声や映像などの情報はスピーカ４１や表示装置２０から出力される。
【００２６】
また、演算処理部１０は、通信用Ｉ／Ｆを介して携帯端末（例えば、スマートフォン）１００に通信接続（本構成ではＵＳＢ（登録商標）接続）し、携帯端末１００が具備する電話機能やネットワーク接続機能を利用する。この場合、演算処理部１０は、携帯端末１００にインストールされた各種アプリケーションソフト（以下、端末側アプリケーションと言う）を実行させる（図２の「電話」機能、「端末Ap一覧」、「端末Ap起動中」で実行される処理）。これらのローカルアプリケーションや端末側アプリケーションには、例えば、天気やニュースの情報を取得するアプリケーションが挙げられる。
【００２７】
より具体的には、演算処理部１０は、携帯端末１００が具備する電話機能を利用して発呼、着信、通話のための各種処理を行う（図２の「電話」機能）。また、演算処理部１０は、携帯端末１００の端末側アプリケーションを実行させ、例えば、携帯端末１００を介してインターネットなどにアクセスし、音声、文字、画像、映像などの各種情報を送受信する（図２の「端末Ap起動中」の処理）。なお、受信した音声や映像などの情報はスピーカ４１や表示装置２０から出力される。
【００２８】
また、演算処理部１０は、不図示の近距離無線通信部により、Bluetooth（登録商標）等の近距離無線通信機能を有する外部機器との間で無線接続する機能も有している（図２の「ＢＴ」の処理）。この場合、外部機器から取得した音声や映像などの情報はスピーカ４１や表示装置２０から出力される。
また、演算処理部１０は、ラジオ受信部７２によりユーザーが選局したラジオ放送波を受信し、ラジオ音声をスピーカ４１から放音させる処理も行う（図２の「Ｒａｄｉｏ」の処理）。
また、演算処理部１０は、ドライブ部７４に装填されたＤＶＤやＣＤ等のディスク型記録媒体の記録データを再生し、再生した音声や映像をスピーカ４１や表示装置２０から出力させる（（図２の「ＤＶＤ／ＣＤ」の処理）。
【００２９】
また、演算処理部１０は、ＴＶ受信部７６により、ユーザーが選局したＴＶ放送波を受信し、ＴＶ音声やＴＶ映像をスピーカ４１や表示装置２０から出力させる（図２の「ＴＶ」の処理）。
また、演算処理部１０は、カード読取部７８に装填されたＳＤカード等のカード型記録媒体の記録データを再生し、再生した音声や映像をスピーカ４１や表示装置２０から出力させる（図２の「ＳＤ」の処理）。
また、演算処理部１０は、ドライブ部７４に装填されたＣＤに記憶された曲をＳＤカードに録音し、再生する処理を行う（図２の「ＭＣＴ」の処理）。
【００３０】
また、演算処理部１０は、通信用Ｉ／Ｆ７０を介してＵＳＢ接続されたＵＳＢメモリや携帯端末１００に記憶された曲や映像のデータを再生し、再生した音声や映像をスピーカ４１や表示装置２０から出力させる（図２の「ＵＳＢ」の処理）。
また、演算処理部１０は、車速センサ６４などを介して得た車両の走行データに基づいて、エコロジー運転診断の処理（アイドリング時間の計測、急加速の検出）を行い、エコロジー度の表示や急加速警告などを行う（図２の「エコロジー」の処理）。
これらの各種処理や機能については、公知のナビゲーション装置が有する同様の処理や機能を広く適用可能である。
【００３１】
図３は、ナビゲーション装置１の機能構成を示したブロック図である。
ナビゲーション装置１は、主制御部１１０、メニュー画面表示部１２０、画面表示部１３０、通信部１４０、電話部１５０、オーディオ部１６０、ナビゲーション部１７０、エコロジー部１８０、交通情報部１９０および記憶部２００を備えている。記憶部２００は、プログラム・地図記憶部２０１、操作項目記憶部２０２、および、設定記憶部２０３を有している。
【００３２】
主制御部１１０、メニュー画面表示部１２０、画面表示部１３０、通信部１４０、電話部１５０、オーディオ部１６０、ナビゲーション部１７０、エコロジー部１８０および交通情報部１９０は、演算処理部１０のＣＰＵ１１が、記憶装置５０やＲＯＭ１３から、所定の制御プログラムやデータをＲＡＭ１２上にロードして実行し、表示装置２０などの各ハードウェアを適宜に利用して構築される。また、記憶部２００は、記憶装置５０やＲＡＭ１２やＲＯＭ１３により構築される。
【００３３】
主制御部１１０は、入力装置３０を介して入力されたユーザー指示を受け付け、ユーザー指示に基づいて各部の駆動や制御を行う。例えば、主制御部１１０は、ユーザーから「メニュー画面の表示指示」（メニューキー３２Ｍ（後述する図４）の操作）を入力すると、メニュー画面表示部１２０によりメニュー画面ＧＭ（後述する図５）を表示させる。また、主制御部１１０は、ユーザーから「ナビゲーション」機能への切替指示を入力すると、画面表示部１３０により現在地表示画面ＧＧ（目的地までの経路を現在地と共に表示した経路画面も含む、後述する図４）を表示させる。
【００３４】
メニュー画面表示部１２０は、主制御部１１０の制御の下、表示装置２０に、操作項目２１０を選択するためのメニュー画面ＧＭを表示させる。また、画面表示部１３０は、主制御部１１０の制御の下、表示装置２０に、メニュー画面ＧＭ以外の各種画面を表示させる。より具体的には、画面表示部１３０は、図２の「通信」、「電話」、「オーディオ」、「ナビゲーション」、「エコロジー」、「ＶＩＣＳ交通情報」の各機能に対応する各種画面を表示させる。
すなわち、主制御部１１０、メニュー画面表示部１２０および画面表示部１３０によって、表示装置２０の表示画面に各種情報を表示させる表示制御部１３５が構成される。
【００３５】
通信部１４０は、ナビゲーション装置１にインストールされたローカルアプリケーションを実行させてインターネットにアクセスし、各種情報を取得する。また、通信部１４０は、携帯端末１００にインストールされた端末側アプリケーションを実行させてインターネットにアクセスし、各種情報を取得する。通信部１４０により取得された情報は、画面表示部１３０により表示装置２０に表示される。
電話部１５０は、携帯端末１００の電話機能を利用して電話処理を行う。このとき、電話処理を行うための各種画面が、画面表示部１３０により表示装置２０に表示される。
【００３６】
オーディオ部１６０は、上述したオーディオソース（ラジオ、ＤＶＤやＣＤ、ＳＤカード（ＳＤ、ＭＣＴ）、テレビ、ＵＳＢメモリ）の再生などを行う部分である。オーディオソースを再生する際には、オーディオ画面として、選局や選曲を行うための操作画面や、受信中の放送局や再生中の曲情報を表示するための表示画面が、画面表示部１３０により表示装置２０に表示される。
ナビゲーション部１７０は、ナビゲーションの各種処理を行う部分であり、例えば、目的地までの経路探索、現在地特定処理、現在地表示画面の表示処理を行う。ナビゲーションの際には、ナビゲーション画面として、目的地を入力するための操作画面や、現在地表示画面ＧＧなどが、画面表示部１３０により表示装置２０に表示される。
【００３７】
なお、目的地の選択方法としては、図２に示すように、自宅を選ぶ方法（第２層操作項目Ｂ３０）、登録地から選ぶ方法（第２層操作項目Ｂ３１）、現在地周辺の検索結果から選ぶ方法（第２層操作項目Ｂ３２）などがある。
エコロジー部１８０は、上述したエコロジー運転診断の処理を行う。また、交通情報部１９０は、上述したＦＭ文字情報やＦＭ図形情報などのＶＩＣＳ交通情報を取得し、ＶＩＣＳ交通情報画面を、画面表示部１３０により表示装置２０に表示させる。
【００３８】
図４は、ナビゲーション画面の一例を示した図である。
ナビゲーション部１７０は、ＧＰＳ受信装置６８などにより算出した現在地を含む地図情報を記憶部２００から読み出す。そして、図４に示すように、読み出した地図情報の画像（地図画像）に、現在地を示すマークなどの表示部品ＧＢを重ねた画像を生成し、表示装置２０に現在地表示画面ＧＧを表示させる。
図４には、表示部品ＧＢとして、現在地を示す自車マークＧＢ１、現在時刻を示す時計ＧＢ２、方位を示す方位マークＧＢ３、現在地に関する操作項目を表示させる現在地メニューＧＢ４、表示変更を指示する操作ボタンＧＢ５、詳細地図や広域地図への切替えを指示する詳細／広域ボタンＧＢ６、オーディオオフであることを示すオーディオマークＧＢ７、出発地を示す出発地マークＧＢ８などが表示されている。
なお、図４中、符号３２Ｍが、メニュー画面ＧＭの表示を指示するハードスイッチ３２であるメニューキーである。
【００３９】
図３に戻り、プログラム・地図記憶部２０１は、制御プログラムや地図情報などを記憶する。また、操作項目記憶部２０２は、ユーザーが表示させたい機能（以下、表示モードと言う）などを選択するための階層構造の操作項目２１０や、メニュー画面ＧＭを表示するための画像などの情報を記憶する。また、設定記憶部２０３は、表示モード（「通信」、「電話」、「オーディオ」、「ナビゲーション」、「エコロジー」、「ＶＩＣＳ交通情報」）毎に最後に表示された画面を特定する情報（以下、画面特定情報と言う）ＤＡを記憶する。
【００４０】
図２に示すように、最上位の階層の操作項目２１０Ａは、表示モード（「通信」、「電話」、「オーディオ」、「ナビゲーション」、「エコロジー」、「ＶＩＣＳ交通情報」）を選択するための操作項目（以下、第１層操作項目と言う）である。
より具体的には、第１層操作項目２１０Ａとして、通信Ａ１０、電話Ａ１１、オーディオＡ１２、ナビゲーションＡ１３、エコロジーＡ１４およびＶＩＣＳ交通情報Ａ１５が設けられている。
これらの第１層操作項目Ａ１０〜Ａ１５が、第１階層の操作メニュー（以下、第１階層メニューと言う）２２０Ａを構成する。
【００４１】
第２階層の操作項目（以下、第２層操作項目と言う）２１０Ｂは、第１層操作項目２１０Ａの下位に属する操作項目である。具体的には、通信Ａ１０の１つ下位の階層には、ローカルアプリケーション（「ローカルＡｐ一覧」と言う）Ｂ１０、ローカルアプリケーション起動中（「ローカルＡｐ起動中」と言う）Ｂ１１、端末側アプリケーション（「端末Ａｐ一覧」と言う）Ｂ１２、および、端末側アプリケーション起動中（「端末Ａｐ起動中」と言う）Ｂ１３が設けられている。
【００４２】
ここで、「ローカルＡｐ一覧」Ｂ１０は、ローカルアプリケーションの一覧を表示させて選択を促す第２層操作項目２１０Ｂである。また、「ローカルＡｐ起動中」Ｂ１１は、ユーザーに予め選択されたローカルアプリケーションの画面を表示させる第２層操作項目２１０Ｂである。また、「端末Ａｐ一覧」Ｂ１２は、端末側アプリケーションの一覧を表示させて選択を促す第２層操作項目２１０Ｂである。また、「端末Ａｐ起動中」Ｂ１３は、ユーザーに予め選択された端末側アプリケーションの画面を表示させる第２層操作項目２１０Ｂである。
つまり、これらの第２層操作項目Ｂ１０〜Ｂ１３が、「通信」機能のときに選択可能な操作メニュー（以下、第２階層メニューと言う）２２０Ｂ１を構成している。
【００４３】
また、オーディオＡ１２の第２層操作項目２１０Ｂには、「Ｒａｄｉｏ」Ｂ２０、「ＤＶＤ／ＣＤ」Ｂ２１、「ＭＣＴ」Ｂ２２、・・・「ＵＳＢ」Ｂ２５などが設けられる。これらの第２層操作項目Ｂ２０〜Ｂ２５などが、「オーディオ」機能のときに選択可能な第２階層メニュー２２０Ｂ２を構成している。
また、ナビゲーションＡ１３の第２層操作項目２１０Ｂには、項目Ｂ３０〜Ｂ３３などがあり、これら第２層操作項目Ｂ３０〜Ｂ３３などが、「ナビゲーション」機能のときに選択可能な第２階層メニュー２２０Ｂ３を構成している。
さらに、ＶＩＣＳ交通情報Ａ１５の第２層操作項目２１０Ｂには、項目Ｂ４０、Ｂ４１などがあり、これら第２層操作項目Ｂ４０、Ｂ４１などが、「ＶＩＣＳ交通情報」機能のときに選択可能な第２階層メニュー２２０Ｂ４を構成している。
【００４４】
第３階層の操作項目（以下、第３層操作項目と言う）２１０Ｃは、第２層操作項目２１０Ｂのいずれか１つの下位に属する操作項目である。具体的には、ナビゲーションＡ１３の第２層操作項目２１０Ｂ（登録地Ｂ３１）の下位には、地点選択Ｃ１０の操作項目が設けられている。また、第２層操作項目２１０Ｂ（周辺検索Ｂ３２）の下位には、エリア指定Ｃ１１の操作項目が設けられている。また、ナビゲーションＡ１３の第２層操作項目２１０Ｂ（電話番号Ｂ３３）の下位には、番号入力Ｃ１２の操作項目がある。
さらに、第３層操作項目２１０Ｃには、項目に応じて第４階層の操作項目（以下、第４層操作項目と言う）２１０Ｄが設けられている。
【００４５】
例えば、ユーザーが、第１層操作項目２１０Ａ（ナビゲーションＡ１３）→第２層操作項目２１０Ｂ（登録地Ｂ３１）→第３層操作項目２１０Ｃ（地点選択Ｃ１０）→第４層操作項目２１０Ｄ（ガイド開始Ｄ１０）を順に選択（タッチ操作（タップ操作とも言う））する。これにより、目的地をユーザーが所望する登録地に設定して経路案内を開始させることができる。なお、このような階層構造のメニュー構成については、上記の構成に限らず、公知のナビゲーション装置と同様の階層構造を広く適用可能である。
【００４６】
ところで、これら操作項目２１０を階層順に選択操作した場合、階層毎に操作が必要になるため、操作回数が多くなり易い。特に、所望の操作項目２１０にたどり着けなかった場合には、間違った箇所まで戻る操作を行ったり、トップメニューを表示し、再び階層順に操作したりする必要があり、操作回数が増えてしまう。
そこで、本構成では、メニュー画面ＧＭの表示が指示されると、第１階層メニュー２２０Ａと、第２階層メニュー２２０Ｂ１〜Ｂ４のいずれかとを同時に表示し、第１層操作項目２１０Ａと第２層操作項目２１０Ｂとを任意に選択可能にしている。
【００４７】
図５は、メニュー画面ＧＭを示した図である。なお、メニュー画面ＧＭは、メニューキー３２Ｍがユーザーによって操作された場合に、直前に表示されていた画面に重ねて表示される。
図５に示すように、メニュー画面ＧＭは、表示装置２０の表示画面を左右に横断する円弧に沿って延びる画像である第１サークルプレートＧＭ１と、第１サークルプレートＧＭ１の外周縁に沿って延びる画像である第２サークルプレートＧＭ２とを有している。また、メニュー画面ＧＭは、第２サークルプレートＧＭ２の外周縁に沿って延びる画像である第３サークルプレートＧＭ３も有している。
【００４８】
また、本構成では、メニュー画面ＧＭを複数の表示レイヤを重ねて構成するとともに、異なる表示レイヤを、第１〜第３サークルプレートＧＭ１〜ＧＭ３に各々割り当てている。これによって、タッチスクリーン３１を介してユーザーがフリック操作すると、フリック操作された第１〜第３サークルプレートＧＭ１〜ＧＭ３の各々を、フリック操作された方向に移動させる画像表示が可能である。
なお、フリック操作された方向に移動させる画像表示は、上記のレイヤを用いる方法に限らず、他の方法を用いても良い。
【００４９】
図５に示すように、第１サークルプレートＧＭ１には、ユーザーが表示させたい機能（表示モード）である第１階層メニュー２２０Ａが配置される。より具体的には、この第１サークルプレートＧＭ１は、表示画面の上部にて表示画面を左右に横断するように左右上側の角部を通って左右に延在する下方凸の帯状の画像に形成される。そして、この第１サークルプレートＧＭ１には、その延在方向に沿って第１階層メニュー２２０Ａの各操作項目２１０、つまり、第１層操作項目２１０Ａが間隔を空けて複数（本構成では４個）、配列される。
なお、メニュー画面ＧＭに表示される各操作項目２１０には、操作内容を示す画像であって、かつ、操作ボタンを兼ねる画像（いわゆるアイコン）が使用される。
【００５０】
図２に示したように、本構成の第１層操作項目２１０Ａは６個以上であるため、図５の第１サークルプレートには全ての第１層操作項目２１０Ａは表示されない。表示されない第１層操作項目２１０Ａを表示させるには、ユーザーがタッチスクリーン３１を介しての第１サークルプレートＧＭ１をフリック操作すれば良い。
ここで、図６は、第１サークルプレートＧＭ１がフリック操作された場合を示している。図６に示すように、第１サークルプレートＧＭ１がフリック操作されると、表示制御部１３５は、フリック操作された方向に第１サークルプレートＧＭ１全体を回転させた表示を行う。これにより、回転前に表示されていた第１層操作項目２１０Ａが回転方向に移動し、その一部（オーディオ）が表示画面外に移動することで、回転前に表示されていなかった第１層操作項目２１０Ａ（通信）が表示される。
【００５１】
このようにして、全ての第１層操作項目２１０Ａ（「通信」、「電話」、「オーディオ」、「ナビゲーション」、「エコロジー」、「ＶＩＣＳ交通情報」）を容易に表示させることができる。また、第１サークルプレートＧＭ１に一度に表示する第１層操作項目２１０Ａを少数にした分、第１層操作項目２１０Ａを大きく表示して視認性を向上させることが可能である。
また、第１層操作項目２１０Ａの表示領域である第１サークルプレートＧＭ１を、円弧に沿って湾曲する湾曲形状にしたので、直線形状にする場合と比べて、第１サークルプレートＧＭ１の表示面積および表示長を確保し易くなる。従って、第１層操作項目２１０Ａの視認性を向上させることができる。
【００５２】
図５に戻り、第２サークルプレートＧＭ２には、第２層操作項目２１０Ｂが配置される。より具体的には、第２サークルプレートＧＭ２は、表示画面の上下中央部分を左右に横断する下方凸の帯状に形成され、その延在方向に沿って第２層操作項目２１０Ｂが間隔を空けて最大５個まで配列される。
同図５に示すように、この第２サークルプレートＧＭ２には、第１サークルプレートＧＭ１の左右中央に位置する第１層操作項目２１０Ａの下位に属する第２層操作項目２１０Ｂ群が表示される。図５の例では、第１層操作項目２１０Ａの「ナビゲーション」に対応する第２層操作項目２１０Ｂ群である第２階層メニュー２２０Ｂ２（図２参照）を表示した場合を示している。
【００５３】
ここで、メニュー画面表示部１２０は、ユーザーが第１サークルプレートＧＭ１の第１層操作項目２１０Ａを操作（タッチ操作）した場合に、タッチ操作された第１層操作項目２１０Ａに応じて第２サークルプレートＧＭ２に表示される第２層操作項目２１０Ｂを変更する表示も行う。
このため、図６に示すように、第２サークルプレートＧＭ２に「ナビゲーション」の第２階層メニュー２２０Ｂ２が表示された状態で、第１サークルプレートＧＭ１の「ＶＩＣＳ交通情報」が操作されると、第２サークルプレートＧＭ２の表示が「ＶＩＣＳ交通情報」の第２階層メニュー２２０Ｂ４へと変更する。
また、メニュー画面表示部１２０は、ユーザーが第２サークルプレートＧＭ２をフリック操作した場合に、そのフリック操作した方向に第２サークルプレートＧＭ２を回転させる表示も行う。これにより、回転前に表示されていなかった第２層操作項目２１０Ｂが存在していた場合に、第２サークルプレートＧＭ２を回転させて非表示の第２層操作項目２１０Ｂを表示させることができる。
【００５４】
第３サークルプレートＧＭ３には、予め定めた１つの表示モードに対応する第２層操作項目２１０Ｂ群が配置される。本構成では、この第３サークルプレートＧＭ３には、「オーディオ」に対応する第２層操作項目２１０Ｂ群である第２階層メニュー２２０Ｂ２が表示される。
このため、メニュー画面ＧＭを表示させれば、「オーディオ」に対応する第２階層メニュー２２０Ｂ２が必ず表示される。同図５に示すように、この第３サークルプレートＧＭ３は、表示画面の下部分を左右に横断する下方凸の帯状に形成され、その延在方向に沿って第２階層メニュー２２０Ｂ２の操作項目２１０Ｂが配列される。
【００５５】
この第３サークルプレートＧＭ３についても、ユーザーが第３サークルプレートＧＭ３をフリック操作することにより、メニュー画面表示部１２０によって、そのフリック操作した方向に第３サークルプレートＧＭ３を回転させる表示が行われる。これにより、回転前に第３サークルプレートＧＭ３に表示されていなかった「オーディオ」の第２層操作項目２１０Ｂが存在していた場合、第３サークルプレートＧＭ３を回転させて、その第２層操作項目２１０Ｂを表示させることができる。
【００５６】
なお、第２サークルプレートＧＭ２に「オーディオ」に対応する第２階層メニュー２２０Ｂ２を表示している場合、メニュー画面表示部１２０は、第３サークルプレートＧＭ３を表示させない。これによって、第２サークルプレートＧＭ２と第３サークルプレートＧＭ３とに同じ情報（第２階層メニュー２２０Ｂ２）が表示されるのを回避することができる。
また、メニュー画面ＧＭには、第１〜第３サークルプレートＧＭ１〜ＧＭ３の表示エリアを除く下側エリアにも操作ボタン３２Ｓが表示される。この操作ボタン３２Ｓは、ナビゲーション装置１の全体設定を行うための操作ボタンである。このため、メニュー画面ＧＭを表示させれば、この操作ボタン３２Ｓも表示され、ユーザーがタッチスクリーン３１を介して操作ボタン３２Ｓを操作することにより、全体設定を開始させることができる。
【００５７】
なお、詳細な説明は省略するが、第１〜第３サークルプレートＧＭ１〜ＧＭ３に配置される操作項目２１０の並び順は、ユーザーが任意に設定できるようにしている。この設定は、例えば、操作ボタン３２Ｓを操作した場合の全体設定で行うことが可能である。これによって、ユーザーがより操作し易いように並び順をカスタム可能である。
【００５８】
次に、メニュー画面ＧＭを操作した場合の動作を説明する。
まず、本構成では、メニュー画面ＧＭの第１サークルプレートＧＭ１に、複数の第１層操作項目２１０Ａが表示され、第２サークルプレートＧＭ２に、複数の第２層操作項目２１０Ｂが表示される。このため、複数の第１層操作項目２１０Ａおよび複数の第２層操作項目２１０Ｂの中から所望の操作項目２１０を容易かつ迅速に選択操作することができる。
ここで、メニュー画面ＧＭの第２層操作項目２１０Ｂが操作されると、メニュー画面表示部１２０は、操作された第２層操作項目２１０Ｂに応じた画面を表示させる。このため、第１層操作項目２１０Ａを操作しなくても、所望の表示モードの第２層操作項目２１０Ｂを操作して対応画面に移行させることができ、操作回数を減らすことができる。
【００５９】
また、第１サークルプレートＧＭ１の第１層操作項目２１０Ａがタッチ操作されると、第２サークルプレートＧＭ２に表示される第２層操作項目２１０Ｂが、他の表示モードに対応する第２層操作項目２１０Ｂに変更される（図６参照）。このため、第２サークルプレートＧＭ２に配置される第２層操作項目２１０Ｂを、所望の表示モードの第２層操作項目２１０Ｂに容易に変更させることができる。これにより、このメニュー画面ＧＭによれば、所望の第２層操作項目２１０Ｂを簡易、且つ、迅速に表示させてワンタッチで操作することが可能になる。
【００６０】
次いで、第１サークルプレートＧＭ１の第１層操作項目２１０Ａが操作された場合の動作を説明する。
ここで、本実施形態では、第１サークルプレートＧＭ１の「ナビゲーション」が操作された場合と、「ナビゲーション」以外の「通信」、「電話」、「オーディオ」、「エコロジー」および「ＶＩＣＳ交通情報」が操作された場合とで動作が異なる。
図７は、ナビゲーション以外の一例として、第１サークルプレートＧＭ１の「通信」が操作された場合を示している。なお、設定記憶部２０３には、上述したように、画面特定情報ＤＡ（各表示モードで最後に表示された画面を特定する情報）が記憶されている。より具体的には、「通信」の場合、通信に属する操作項目２１０（Ｂ１０〜Ｂ１３（図２参照））のうち、どの操作項目が最後に操作され、かつ、どのアプリケーションが実行されていたかを示す情報が、画面特定情報ＤＡとして記憶される。
【００６１】
図７に示すように、ユーザーが第１サークルプレートＧＭ１をフリックして「通信」がタッチ操作されると、画面表示部１３０は、第２サークルプレートＧＭ２の表示を「通信」に対応する第２層操作項目２１０Ｂ１にするとともに、設定記憶部２０３から、「通信」に対応する画面特定情報ＤＡを読み出す。次に、画面表示部１３０は、読み出した画面特定情報ＤＡに基づいて、「通信」のときに最後に表示されていた画面ＧＡを表示させる。また、この場合、メニュー画面表示部１２０は、第２サークルプレートＧＭ２を予め定めた一定期間（数秒）だけ継続表示させる。
そして、第２サークルプレートＧＭ２が操作されなかった場合、メニュー画面表示部１２０は、上記一定期間の経過後に、第２サークルプレートＧＭ２を非表示にし、画面ＧＡだけを表示させる。これによって、メニュー画面ＧＭ中の「通信」を操作するだけで、「通信」のときに最後に表示されていた画面ＧＡを表示させることができる。
【００６２】
これによって、例えば、最後に表示されていた画面ＧＡが、ローカルＡｐ起動中Ｂ１１の画面であれば、その画面が表示され、ローカルＡｐ一覧Ｂ１０の画面であれば、その画面が表示される。なお、図７では、ローカルＡｐ起動中Ｂ１１の画面が最後に表示されていた画面ＧＡとして表示された場合を示している。
従来の階層構造のメニュー画面を用いた方法では、階層構造のメニュー画面から上記画面ＧＡを表示させようとすると、「通信」を操作した後に、画面ＧＡを選択するための第２層操作項目２１０Ｂを操作する必要があるので、操作回数が多くなってしまう。
これに対し、本構成では、第２層操作項目２１０Ｂを操作することなく、第２層操作項目２１０Ｂに対応する画面ＧＡを表示させることができるので、操作回数が少なくて済む。しかも、選んだ表示モードのときに最後に表示されていた画面ＧＡを表示するので、ユーザーが所望する画面を表示させ易くなる。
【００６３】
ここで、上述したように、第１サークルプレートＧＭ１の操作項目２１０が操作された場合でも、第２サークルプレートＧＭ２が一定期間だけ表示される。このため、表示された間に、第２サークルプレートＧＭ２に配置される第２層操作項目２１０Ｂが操作されると、操作された第２層操作項目２１０Ｂに応じた画面が表示される。これにより、ユーザーが最後に表示された画面ＧＡではなく、別の画面を表示させたい場合は、第２層操作項目２１０Ｂを操作することにより、所望の画面を表示させることができる。
また、第２サークルプレートＧＭ２が一定期間だけ表示される間は、第２サークルプレートＧＭ２をフリック操作することもでき、フリック操作により所望の第２層操作項目２１０Ｂを容易に探すことができる。
このように、第１サークルプレートの第１層操作項目２１０Ａが操作された後でも、一時的に第２サークルプレートの第２層操作項目２１０Ｂの操作を受け付けるので、ユーザーが所望する画面への切替を容易かつ迅速に行うことが可能になる。
【００６４】
なお、画面特定情報ＤＡには、「オーディオ」の場合、どのオーディオソースを再生していたかを示す情報と、そのソースの詳細情報（「Ｒａｄｉｏ」であれば放送局の情報、「ＣＤ」であれば再生中の局名、経過時間、プレイリストなどの情報）とが記憶される。これによって、メニュー画面ＧＭを表示させた状態で、第１サークルプレートＧＭ１の「オーディオ」が操作されると、画面特定情報ＤＡに基づいて、「オーディオ」機能のときに最後に表示されていた画面ＧＡが表示され、映像や音声も再生される。これによって、「ナビゲーション」以外の「通信」、「電話」、「オーディオ」、「エコロジー」および「ＶＩＣＳ交通情報」が操作された場合は、画面特定情報ＤＡを利用して、最後に表示されていた画面ＧＡが表示される。
【００６５】
上記の構成によれば、メニュー画面ＧＭから「通信」などに切り替えるユーザーに対し、前回選択していた天気やニュースなどのコンテンツに切り替えた上、画面上には、別のコンテンツを見るための第２階層メニュー２２０Ｂ１などを一時的に表示させる。このため、前回選択していたコンテンツに切り替えたかったユーザーはそのままにしておけば、第２階層メニュー２２０Ｂ１などが消え、前回のコンテンツを見ることができる。一方、別のコンテンツを見たいユーザーは、続けて第２階層メニュー２２０Ｂ１内から所望の項目を選んで別のコンテンツを見ることができる。
なお、第２階層メニュー２２０Ｂ１は一定時間で消えるが、再びメニューキー３２Ｍ（図４）を操作すれば、第２階層メニュー２２０Ｂ１が表示されるため、一定時間中に第２階層メニュー２２０Ｂ１を慌てて操作しなくても良い。
【００６６】
図８は、第１サークルプレートＧＭ１の「ナビゲーション」が操作された場合の動作を示している。
図８に示すように、「ナビゲーション」が操作されると、画面表示部１３０は、現在地表示画面ＧＧを表示させる。このとき、メニュー画面表示部１２０は、とともに、図７の場合と同様に、第２サークルプレートＧＭ２を予め定めた一定期間（数秒）だけ継続表示させる。
そして、第２サークルプレートＧＭ２が操作されない場合、メニュー画面表示部１２０は、上記一定期間の経過後に、第２サークルプレートＧＭ２を非表示にし、現在地表示画面ＧＧだけを表示させる。これによって、メニュー画面ＧＭ中の「ナビゲーション」を操作するだけで、「ナビゲーション」のときに頻繁に使用すると予想される現在地表示画面ＧＧを少ない操作数で表示させることができる。
【００６７】
一方、第２サークルプレートＧＭ２の第２層操作項目２１０Ｂが操作（タッチ操作）された場合、画面表示部１３０は、操作された第２層操作項目２１０Ｂに応じた画面を表示させる。このため、ユーザーが、現在地表示画面ＧＧの表示以外を選択したい場合は、対応する第２層操作項目２１０Ｂを操作することによって、直ちに所望の画面を表示させることができる。
【００６８】
上記の構成によれば、メニュー画面ＧＭから「ナビゲーション」に切り替えるユーザーに対し、現在地表示画面ＧＧに切り替えた上、画面上には、目的地設定などを行うための第２階層メニュー２２０Ｂ３を一時的に表示させる。このため、現在地表示画面ＧＧに切り替えたかったユーザーはそのままにしておけば、第２階層メニュー２２０Ｂ３が消え、地図を眺め続けることができる。一方、目的地設定を行いたかったユーザーは、続けて第２階層メニュー２２０Ｂ３内から所望の項目を選んで目的地設定を行うことができる。
なお、第２階層メニュー２２０Ｂ３は一定時間で消えるが、再びメニューキー３２Ｍ（図４）を操作すれば、第２階層メニュー２２０Ｂ３が表示されるため、一定時間中に第２階層メニュー２２０Ｂ１を慌てて操作しなくても良い。また、再びメニューキー３２Ｍを操作すれば、他の表示モードへの切り替えも容易である。
【００６９】
図９は、第３サークルプレートＧＭ３が操作された場合の動作を示している。
第３サークルプレートＧＭ３の「ＳＤ」が操作（タッチ操作）されると、メニュー画面表示部１２０は、第３サークルプレートＧＭ３を一定期間だけ継続表示させるとともに、操作された「ＳＤ」の簡易情報を示す小画面ＧＫを一定期間だけポップアップ表示させる。この小画面ＧＫは、表示画面の一部に重なり、「ＳＤ」に対応する画面特定情報ＤＡに基づいて最後に利用したオーディオソースを特定する最低限の情報を表示した画面である。
【００７０】
次いで、小画面ＧＫの表示期間（数秒）が経過すると、メニュー画面表示部１２０は、第３サークルプレートＧＭ３や小画面ＧＫを非表示にする。続いて、画面表示部１３０により、画面特定情報ＤＡに基づいて、「ＳＤ」のときに最後に表示されていた画面（オーディオソース画面）ＧＳが表示され、前回の続きの音声が再生される。
図９の例では、画面特定情報ＤＡに基づいて、Ｔｒａｃｋが「ＡＡＡＡＡＡ」、Ａｒｔｉｓｔが「ＢＢＢＢＢＢ」、Ａｌｂｕｍが「ＣＣＣＣＣＣ」の楽曲の９９曲目の３分２４秒から再生開始した場合を例示している。このようにして、前回の続きのソースを少ない操作で容易かつ迅速に再生させることができる。
【００７１】
この構成によれば、車内のユーザーに対し、どのような画面状態であってもメニューキー３２Ｍを操作すれば、別のオーディオソースを選択可能な第３サークルプレートＧＭ３を表示させることができる。このため、別のオーディオソースへの切り替えが容易である。
また、第３サークルプレートＧＭ３から選択した場合、簡易情報を載せた小画面ＧＫをポップアップ表示するとともに第３サークルプレートＧＭ３を一時的に表示する。このため、ユーザーは、ポップアップの内容を確認し、そのままで良ければポップアップが消え、別のオーディオソースに切り替えたい場合には、第３サークルプレートＧＭ３内から所望の項目を選んで別のソースに切り替えることができる。
なお、第２サークルプレートＧＭ２に「オーディオ」の第２階層メニュー２２０Ｂ２を表示している場合は、第３サークルプレートＧＭ３が非表示となる。この場合には、第２サークルプレートＧＭ２が、上記第３サークルプレートＧＭ３の代わりに小画面ＧＫとともに一定期間だけ表示され、上記と同様の効果が得られる。
【００７２】
以上説明したように、本実施の形態では、図５に示したように、メニュー画面ＧＭとして、表示させたい機能（表示モード）を選択するための第１層操作項目（上位操作項目）２１０Ａと、第１層操作項目２１０Ａよりも下位階層の第２層操作項目（下位操作項目）２１０Ｂを同時に表示させる。そして、第２層操作項目２１０Ｂが選択された場合、選択された第２層操作項目２１０Ｂに応じた画面を表示させ、第１層操作項目２１０Ａが選択された場合、選択された第１層操作項目２１０Ａに対応する機能（表示モード）の所定画面を表示させる。
このため、下位の操作項目である第２層操作項目２１０Ｂを選び易くするとともに、第２層操作項目２１０Ｂの操作に寄らず、表示させたい機能（表示モード）に対応する画面を表示させることが可能になる。
【００７３】
この場合、図７に示したように、選択された第１層操作項目２１０Ａが、「通信」、「オーディオ」などの非ナビゲーションの場合、その機能（表示モード）のときに最後に表示された画面ＧＡを表示させる。このため、ユーザーが最後に表示された画面ＧＡを表示させるための操作項目２１０を探して操作する、という作業を行うことなく、最後に表示された画面ＧＡを迅速かつ容易に表示させることができる。
【００７４】
一方、図８に示したように、選択された第１層操作項目２１０Ａが「ナビゲーション」の場合、その「ナビゲーション」機能の画面の１つである現在地表示画面ＧＧを表示させる。このため、ユーザーが現在地表示画面ＧＧを表示させるための操作項目２１０を探して操作する、という作業を行うことなく、使用する可能性が高い現在地表示画面ＧＧを表示させることができる。従って、少ない操作でユーザーが希望する画面を表示させ易くなる。
【００７５】
しかも、表示させたい機能（表示モード）毎に最後に表示された画面ＧＡを特定する画面特定情報ＤＡを記憶する設定記憶部２０３（図３参照）を有し、画面特定情報ＤＡに基づいて最後に表示された画面ＧＡを表示させる。これにより、最後に表示された画面ＧＡを適切に表示させることができる。
【００７６】
さらに、図９に示したように、メニュー画面ＧＭの第１層操作項目（上位操作項目）２１０Ａが選択された場合、メニュー画面ＧＭに表示されていた複数の第２層操作項目（下位操作項目）２１０Ｂを一時的に選択可能に表示させる。これにより、最後に表示された画面と異なる画面を表示させたい場合は第２層操作項目２１０Ｂを選択して異なる画面を迅速に表示させることができる。
【００７７】
＜第２実施形態＞
第２実施形態のナビゲーション装置１では、メニュー画面ＧＭで選択された第１層操作項目２１０Ａが「ナビゲーション」の場合、「ナビゲーション」機能で最後に表示された画面を表示させるようにしている。
この場合、設定記憶部２０３には、「ナビゲーション」機能で最後に表示された画面の画面特定情報ＤＡとして、ナビゲーションのどの操作項目２１０（Ｂ３０〜Ｂ３３、Ｃ１０〜Ｃ１２など（図２））が最後に操作されたかを示す情報などが記憶される。
ここで、最後に表示された画面に文字や数字を入力中であった場合には、その文字や数字も画面特定情報ＤＡに含まれる。また、最後に表示された画面がソートをかけたリストを表示中であった場合には、そのソートの条件も画面特定情報ＤＡに含まれる。
【００７８】
メニュー画面ＧＭが表示された状態で、第１サークルプレートＧＭ１の「ナビゲーション」が操作されると、画面表示部１３０は、第２サークルプレートＧＭ２の表示を「ナビゲーション」に対応する第２層操作項目２１０Ｂ３にするとともに、設定記憶部２０３から「ナビゲーション」に対応する画面特定情報ＤＡを読み出す。そして、画面特定情報ＤＡに基づいて「ナビゲーション」のときに最後に表示されていた画面ＧＡを表示させる。
この場合、画面特定情報ＤＡに、入力中の文字や数字が含まれているときは、その文字や数字を入力した画面を表示させ、ソートの条件が含まれているときはそのソートの条件でソートを行った画面を表示させる。
これにより、ユーザーがメニュー画面ＧＭの「ナビゲーション」を操作するだけで、「ナビゲーション」のときに最後に表示されていた画面ＧＡを容易かつ適切に表示させることができる。なお、この点を除けば、第１実施形態の構成と同様であり、第１実施形態と同様の各種効果を有している。
【００７９】
上述した各実施形態は、あくまで本発明の一態様に過ぎず、本発明の範囲内で任意に変更が可能である。例えば、上述の第１実施形態では、メニュー画面ＧＭの「ナビゲーション」が操作された場合、現在地表示画面ＧＧを表示させる場合を説明したが、それ以外の画面を表示させても良い。要は、ユーザーが所望する可能性の高い予め定めた画面を表示させれば良い。
また、上述の各実施形態では、メニュー画面ＧＭなどの各種表示を制御するための制御プログラムを予めナビゲーション装置１内に記憶しておく場合について述べた。これに限らず、この制御プログラムを、磁気記録媒体、光記録媒体、半導体記録媒体などのコンピューターが読み取り可能な記録媒体に格納し、コンピューターが記録媒体からこの制御プログラムを読み取って実行するようにしても良い。また、この制御プログラムを通信ネットワーク（電気通信回線）を介して配信サーバーなどからダウンロードできるようにしても良い。
また、上述の各実施形態では、本発明をナビゲーション装置１に適用する場合を説明したが、ナビゲーション装置以外の情報処理装置に本発明を適用しても良い。
【符号の説明】
【００８０】
１  ナビゲーション装置（情報処理装置）
２０  表示装置
３１  タッチスクリーン
３２  ハードスイッチ
１００  携帯端末
１１０  主制御部
１２０  メニュー画面表示部
１３０  画面表示部
１３５  表示制御部
２００  記憶部
２１０  操作項目
２１０Ａ  第１層操作項目（上位操作項目）
２１０Ｂ  第２層操作項目（下位操作項目）
ＤＡ  画面特定情報
ＧＭ  メニュー画面
ＧＧ  現在地表示画面
ＧＳ  画面（オーディオソース画面）
【図１】
2015014860.tif 000003
【図２】
2015014860.tif 000004
【図３】
2015014860.tif 000005
【図４】
2015014860.tif 000006
【図５】
2015014860.tif 000007
【図６】
2015014860.tif 000008
【図７】
2015014860.tif 000009
【図８】
2015014860.tif 000010
【図９】
2015014860.tif 000011